(57)【要約】【課題】容器本体内に小容器を収納した複室容器において、容器本体側の収納部の開通と同時に小容器がより開封しやすい複室容器を提供することを目的とする。【解決手段】複数の収納部と、収納部に接続された排出口と、収納部内に設けられた小容器と、を備え、収納部内の圧力を高めることにより、複数の収納部及び小容器は互いに開封連通される複室容器であって、小容器の一部分を封止する弱シール部と、弱シール部よりもシール強度が高い第１の中シール部及び第２の中シール部と、を備え、第１の中シール部と第２の中シール部とは対向して配置されており、第１の中シール部の第２の中シール部側の先端部と、第２の中シール部の第１の中シール部側の先端部とは、弱シール部に近接しており、第１の中シール部と第２の中シール部とは、互いの間隔が、弱シール部に近くなる程狭くなるように傾斜する部分を備えている、複室容器。【選択図】図１
2020108824.tif 000002
【特許請求の範囲】
【請求項１】
複数の収納部と、前記複数の収納部のうち、いずれかの前記収納部に接続された排出口と、前記複数の収納部のうち、いずれかの前記収納部内に設けられた小容器と、を備え、前記収納部内の圧力を高めることにより、前記複数の収納部及び前記小容器は互いに開封連通される複室容器であって、
前記小容器の一部分を封止すると共に、前記収納部内の圧力を高めることによって剥離する弱シール部と、
前記弱シール部よりもシール強度が高い第１の中シール部と、
前記弱シール部よりもシール強度が高い第２の中シール部と、を備え、
前記第１の中シール部と前記第２の中シール部とは対向して配置されており、
前記第１の中シール部の前記第２の中シール部側の先端部と、前記第２の中シール部の前記第１の中シール部側の先端部とは、前記弱シール部に近接しており、
前記第１の中シール部と前記第２の中シール部とは、互いの間隔が、前記弱シール部に近くなる程狭くなるように傾斜する部分を備えている、複室容器。
【請求項２】
前記弱シール部は、前記第１の中シール部と前記第２の中シール部との間である前記間隔と、前記排出口とを結ぶ延長線上に配置されている、請求項１記載の複室容器。
【請求項３】
前記第１の中シール部は、前記複数の収納部を有する容器本体の周縁部に近接する一方の端部と反対側の端部である前記先端部とを備え、
前記第２の中シール部は、前記容器本体の周縁部に近接する一方の端部と反対側の端部である前記先端部とを備え、
前記第１の中シール部の前記先端部から前記弱シール部までの距離は、前記第１の中シール部の前記一方の端部から前記先端部までの距離よりも短く、
前記第２の中シール部の前記先端部から前記弱シール部までの距離は、前記第２の中シール部の前記一方の端部から前記先端部までの距離よりも短い、請求項１または２記載の複室容器。
【請求項４】
前記弱シール部は、前記容器本体に非接着な状態で前記小容器を封止している、請求項３記載の複室容器。
【請求項５】
前記小容器の内部に対し、前記弱シール部よりも外側部分には、前記小容器と前記容器本体とを接着する接着部が設けられている、請求項３または４記載の複室容器。
【請求項６】
前記接着部は、前記弱シール部に対向して設けられている、請求項５記載の複室容器。
【発明の詳細な説明】
【技術分野】
【０００１】
本発明は、複室容器に関する。
【背景技術】
【０００２】
静脈注射により患者に投与される薬剤の中には、予め配合すると望ましくない経時的変化を起こすような不安定な薬剤がある。例えばアミノ酸輸液とブドウ糖輸液を配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤には、混合前の成分を個別に収納する医療用の複室容器が用いられることが多い。この医療用の複室容器は、個別に薬剤を収納する複数の収納部と、この収納部を仕切り、外部から圧力を加えることにより剥離し得る仕切り用弱シール部とを備えたものである（例えば特許文献１参照）。
【先行技術文献】
【特許文献】
【０００４】
【特許文献１】特開２００２−１３６５７０号公報
【特許文献２】国際公開公報０３／０９２５７４号
【発明の概要】
【発明が解決しようとする課題】
【０００５】
図８〜１０はそのような参考例に係る医療用の複室容器の一例を示す説明図で、図８は平面図、図９は図８のＸ-Ｘ線矢視断面図、図１０は開通時の断面図である。
【０００６】
図８に示すように、複室容器１は、周縁部３が接着され矩形状に形成された容器本体５の内部を、第１収納部９と第２収納部１１とに仕切り部１３で仕切ると共に、各収納部９、１１には、予め混合或いは溶解しておくと望ましくない各種薬剤ａ、ｂをそれぞれ収納し、さらに各収納部９、１１のいずれか（図８では第１収納部９）に小容器１５を設け、小容器１５内に薬剤ｃを収納している。この小容器１５は、図９に断面を拡大して示すように容器本体５を構成するフィルム５ａ、５ｂの内側である小容器１５のフィルム１５ａ、１５ｂの内面に接着部２１を設けている。図１０に示すように、容器本体５の外部から力を加え、仕切り部１３に圧力を与えて剥離力Ｆ、Ｆを与え、第１収納部９と第２収納部１１とを開通させ、薬剤ａとｂとを混合させた時、同時に小容器１５の接着部２１も剥離し、小容器１５内の薬剤ｃも各収納部９、１１の薬剤ａ、ｂと混合する構造となっている(例えば特許文献２参照)。
【０００７】
しかしながら、例えば、複室容器への外部からの力が十分強くない場合や、力を加える位置が適切でないことなどにより、仕切り部１３への圧力及び剥離力Ｆ、Ｆが不十分になると、小容器１５の接着部２１も剥離せず、小容器１５内の薬剤ｃが各収納部９、１１の薬剤ａ、ｂと混合されない場合がある。
【０００８】
本発明は、上記課題を解決するため、容器本体内に小容器を収納した複室容器において、複室容器への外部からの力が十分強くない場合や、力を加える位置が適切でない場合であっても、容器本体側の収納部や小容器が開通しやすい複室容器を提供することを目的とする。
【課題を解決するための手段】
【０００９】
本発明者らは、複室容器の構造について鋭意検討した結果、特定の形状の２つの中シール部を設けることによって、上記課題を解決できる複室容器を見出した。
すなわち、本発明は、複数の収納部と、複数の収納部のうち、いずれかの収納部に接続された排出口と、複数の収納部のうち、いずれかの収納部内に設けられた小容器と、を備え、収納部内の圧力を高めることにより、複数の収納部及び小容器は互いに開封連通される複室容器であって、小容器の一部分を封止すると共に、収納部内の圧力を高めることによって剥離する弱シール部と、弱シール部よりもシール強度が高い第１の中シール部と、弱シール部よりもシール強度が高い第２の中シール部と、を備え、第１の中シール部と第２の中シール部とは対向して配置されており、第１の中シール部の第２の中シール部側の先端部と、第２の中シール部の第１の中シール部側の先端部とは、弱シール部に近接しており、第１の中シール部と第２の中シール部とは、互いの間隔が、弱シール部に近くなる程狭くなるように傾斜する部分を備えている、複室容器である。
【００１０】
本発明の複室容器によれば、弱シール部は、第１の中シール部の先端部と、第２の中シール部の先端部とは、弱シール部に近接しており、第１の中シール部と第２の中シール部とは、互いの間隔が、弱シール部に近くなる程狭くなるように傾斜する部分を備えている。これによって、外部からの力が強力ではない場合や、力を加える位置が適切な部分からずれている場合であっても、弱シール部への圧力及び剥離力Ｆ、Ｆが伝わりやすくなり、小容器の弱シール部が剥離しやすくなり、小容器内の内容物が各収納部の内容物と混合しやすくなる。
【００１１】
本発明の弱シール部は、第１の中シール部と第２の中シール部との間である間隔と、排出口とを結ぶ延長線上に配置されていてもよい。
【００１２】
本発明の第１の中シール部は、複室容器の周縁部に近接する一方の端部と反対側の端部である先端部とを備え、第２の中シール部は、複室容器の周縁部に近接する一方の端部と反対側の端部である先端部とを備え、第１の中シール部の先端部から弱シール部までの距離は、第１の中シール部の一方の端部から先端部までの距離よりも短く、第２の中シール部の先端部から弱シール部までの距離は、第２の中シール部の一方の端部から先端部までの距離よりも短くてもよい。
【００１３】
本発明の弱シール部は、容器本体に非接着な状態で小容器を封止していてもよい。
【００１４】
本発明において、小容器の内部に対し、弱シール部よりも外側部分には、小容器と容器本体とを接着する接着部が設けられていてもよい。
【００１５】
接着部は、弱シール部に対向して設けられていてもよい。
【００１６】
また、複数の収納部を有する容器本体と、収納部に接続された排出口と、収納部を仕切るとともに収納部内の圧力を高めることにより互いに開封連通される仕切り用弱シール部と、いずれかの前記収納部内に設けられた小容器と、を備えた複室容器であって、小容器を封止すると共に、仕切り用弱シール部の開封連通と共に開封される弱シール部と、仕切り用弱シール部よりもシール強度が高い第１の中シール部と、仕切り用弱シール部よりもシール強度が高い第２の中シール部と、を備え、仕切り用弱シール部の少なくとも一部は、第１の中シール部と第２の中シール部とに挟まれた間隔内に設けられており、弱シール部は、前記間隔内に設けられた仕切り用弱シール部に対向して設けられており、第１の中シール部の前記間隔側の先端部と、第２の中シール部の間隔側の先端部とは、弱シール部に近接している、複室容器にすることもできる。
【００１７】
この複室容器によれば、仕切り用弱シール部の少なくとも一部は、第１の中シール部と第２の中シール部とに挟まれた間隔内に設けられており、弱シール部は、前記間隔内に設けられた仕切り用弱シール部に対向して設けられている。これによって、外部からの力が強力ではない場合や、力を加える位置が適切な部分からずれている場合であっても、仕切り用弱シール部への圧力及び剥離力Ｆ、Ｆが伝わりやすくなり、小容器の弱シール部も剥離しやすくなり、小容器内の内容物が各収納部の内容物と混合しやすくなる。
【００１８】
この複室容器において、小容器と容器本体とを接着すると共に、仕切り用弱シール部の開封連通と共に開封される接着部を更に備えていてもよい。
【００１９】
この複室容器において、接着部は、仕切り用弱シール部と弱シール部との間で、弱シール部に沿って設けられていてもよい。
【００２０】
この複室容器において、第１の中シール部及び第２の中シール部は、剥離可能であってもよい。
【００２１】
この複室容器において、容器本体の周縁部は接着されており、第１の中シール部及び第２の中シール部のシール強度は、周縁部よりも低くてもよい。
【００２２】
この複室容器において、前記間隔は、小容器の横幅の２分の１よりも長くてもよい。
【００２３】
この複室容器において、第１の中シール部の先端部から弱シール部までの距離及び第２の中シール部の先端部から弱シール部までの距離は、仕切り用弱シール部の長手方向に直交する方向の幅よりも小さくてもよい。
【００２４】
また、複数の収納部を有する容器本体と、収納部に接続された排出口とを備えており、容器本体を複数の収納部に仕切るとともに収納部内の圧力を高めることにより互いに開封連通される仕切り用弱シール部と、いずれかの収納部内に仕切り用弱シール部の開封連通と共に開封される小容器が設けられた複室容器であって、仕切り用弱シール部の一方の端側から中央側にかけて小容器側に傾斜した形状を有する第１の中シール部と、仕切り用弱シール部のもう一方の端側から中央側にかけて小容器側に傾斜した形状を有する第２の中シール部と、を有し、第１の中シール部と前記第２の中シール部とが互いに交わらず、一方の端からもう一方の端まで延びる仕切り用弱シール部の中央側には、第１の中シール部と第２の中シール部との間隔が設けられており、第１の中シール部及び第２の中シール部は、仕切り用弱シール部よりもシール強度が高く、第１の中シール部の前記中央側先端部と、前記第２の中シール部の前記中央側先端部との間隔が、前記小容器の横幅よりも短く、仕切り用弱シール部の少なくとも一部には、第１の中シール部と第２の中シール部との間で、小容器に対して離れた側から小容器側にかけて台形状に狭まる形状が形成されている複室容器にすることもできる。
【００２５】
この複室容器によれば、仕切り用弱シール部の少なくとも一部に、よりシール強度が高く、小容器側に圧力及び／又は剥離力がより伝わりやすい傾斜した形状を有する第１の中シール部及び第２の中シール部を設ける。これによって、外部からの力が強力ではない場合や、力を加える位置が適切な部分からずれている場合であっても、仕切り用弱シール部への圧力及び剥離力Ｆ、Ｆが伝わりやすくなり、小容器の接着部や弱シール部も剥離しやすくなり、小容器内の内容物が各収納部の内容物と混合しやすくなる。
【００２６】
この複室容器において、第１の中シール部の形状と第２の中シール部の形状とが互いに対称であってもよい。第１の中シール部の形状と第２の中シール部の形状とが互いに対称であれば、仕切り用弱シール部及び小容器への圧力及び剥離力Ｆ、Ｆが均一に伝わりやすくなる。
【００２７】
また、この複室容器において、第１の中シール部及び第２の中シール部の中央側先端部が、１０°以上９０°未満の角度を有してもよい。第１の中シール部及び第２の中シール部の中央側先端部の角度が１０°以上９０°未満の範囲であれば、仕切り用弱シール部及び小容器への圧力及び剥離力Ｆ、Ｆが伝わりやすくなる。
【００２８】
上記第１の中シール部の中央側先端部と、第２の中シール部の中央側先端部との間隔が、小容器の横幅よりも短く、かつ、小容器の横幅の２分の１よりも長いことが好ましい。これにより、小容器への圧力及び剥離力Ｆ、Ｆが伝わりやすくなる。
【００２９】
この複室容器において、最大点荷重が２５０Ｎ以上１８００Ｎ以下であってもよい。最大点荷重が上記範囲にあることによって、開封容易性と輸送時等における密封性とを兼ね備えた複室容器となる。
【００３０】
また、仕切り用弱シール部の開通強度が２．５Ｎ／１５ｍｍ以上４．５Ｎ／１５ｍｍ以下であってもよい。仕切り用弱シール部の開通強度が本範囲にあることによって、開封容易性と輸送時等における密封性とを兼ね備えた複室容器となる。
【００３１】
上記の複室容器は、医療用又は食品用であることが好ましい。このような開封容易性と輸送時等における密封性とを兼ね備えた複室容器は、医療用複室容器として使用することができ、また食品用としても用いることができる。
【発明の効果】
【００３２】
本発明によれば、容器本体内に小容器を収納した複室容器において、複室容器への外部からの力が十分強くない場合や、力を加える位置が適切でない場合であっても、容器本体側の収納部や小容器が開通しやすい複室容器を提供することが可能となる。
【図面の簡単な説明】
【００３３】
【図１】本発明の一実施形態である医療用複室容器の平面図である。
【図２】図１のＡ-Ａ線矢視部分拡大断面図である。
【図３】本発明の一実施形態である医療用複室容器の剥離開通状態を示す拡大断面図である。
【図４】本実施形態の変形例である医療用複室容器の平面図である。
【図５】本実施形態の変形例である医療用複室容器の平面図である。
【図６】本実施形態の変形例である医療用複室容器の平面図である。
【図７】本実施形態の変形例である医療用複室容器の平面図である。
【図８】参考例に係る複室容器の平面図である。
【図９】図８のＸ-Ｘ線矢視部分拡大断面図である。
【図１０】図８に示した複室容器の剥離開通状態を示す断面図である。
【発明を実施するための形態】
【００３４】
以下、本発明に係る複室容器の実施形態について図面を参照しつつ説明する。
本実施形態の複室容器は、複数の収納部を有する容器本体と、収納部に接続された排出口とを備えており、容器本体を複数の収納部に仕切るとともに収納部内の圧力を高めることにより互いに開封連通される仕切り用弱シール部と、いずれかの収納部内に仕切り用弱シール部の開封連通と共に開封される小容器が設けられた複室容器である。
【００３５】
図１は、本発明の実施形態に係る複室容器における医療用複室容器を例とした平面図、図２は図１のＡ-Ａ線部分拡大断面図である。
【００３６】
図１に示すように、医療用複室容器１は、周縁部３が接着され矩形状に形成された容器本体５と、この容器本体５に接続されゴム栓を有し、薬剤を排出するための薬剤排出口７とを備えている。容器本体５は、長手方向に並べて配置された第１収納部９及び第２収納部１１を有しており、２つの収納部９、１１は剥離可能な仕切り用弱シール部１３で仕切られている。また、第１収納部９及び第２収納部１１には内容物として、予め混合或いは溶解しておくと望ましくない各種薬剤ａ，ｂがそれぞれ収納されている。
【００３７】
医療用複室容器１は、２枚の単層又は複層のフィルムの周縁部を熱接着又は接着することにより形成される袋状の容器とすることができる。医療用複室容器１の容器本体５を構成する材質としては、ポリエチレン、ポリプロピレン、ポリスチレン等の熱可塑性樹脂等、種々の樹脂よりなるフィルムを採用することができる。
【００３８】
仕切り用弱シール部１３を剥離するために必要な圧力を調整するためには、例えば、熱可塑性樹脂よりなるフィルムを溶融接着する際、仕切り用弱シール部１３の加熱接着時間を、容器本体５の周縁部３の加熱接着時間より短くすればよい。或いは、仕切り用弱シール部１３の接着圧力を、容器本体５の周縁部３の接着圧力より低い接着圧力で行うことにより、接着強度を調整することが可能である。
【００３９】
上記医療用複室容器１の第１収納部９には薬剤ｃを収納する小容器１５が設けられ、小容器１５を封止するシール部が弱シール部２１とされている。
【００４０】
小容器１５の容器本体５に対する接着部１９は、図示のように小容器１５を構成するフィルム１５ａ、１５ｂの弱シール部２１より外側部分の延出部２３ａ、２３ｂに形成されていてもよい。そして延出部２３ａ、２３ｂで、その長さ方向ほぼ全長にわたり連続する線状に接着されていてもよい。この接着手段は、例えば熱融着などの手段が好適に用いられる。
【００４１】
なお、この延出部２３ａ、２３ｂの幅Ｂ（図２参照）は、小容器１５が容器本体５を構成するフィルム５ａ、５ｂに接着するに十分な幅とされていればよく、具体的には３〜２０ｍｍ、より好適には５〜１５ｍｍである。また、図１における延出部２３ａ、２３ｂの横幅は、弱シール部２１と同じ長さの横幅であってもよい。
【００４２】
上記小容器１５は内層がポリエチレン、中間層がポリ環状オレフィン、外層がポリエチレンより成る３層構造とされたフィルムで、各層が剥離しやすい構造とされたフィルム１５ａ、１５ｂが好適に使用され、重ね合わせた二枚のフィルム１５ａ、１５ｂの周囲を熱接着することにより袋状の容器とされる。なお、この小容器１５の弱シール部２１を剥離するために必要な圧力の調整は、容器本体５の仕切り用弱シール部１３と周縁部３とのシールと同様、弱シール部２１の加熱接着時間を小容器１５の他の周縁部の加熱接着時間より短くすればよい。或いは、弱シール部２１の接着圧力を、小容器１５の周縁部の接着圧力より低い接着圧力で行うことにより調整すればよい。
【００４３】
図２は、図１のＡ-Ａ線矢視部分拡大断面図である。また、図３は、本発明の一実施形態である医療用複室容器１の剥離開通状態を示す拡大断面図である。医療用複室容器１の使用に際しては、容器本体５（例えば第２収納部１１の一部）に力を加え、図２に示すように矢印Ｆ、Ｆ方向の力を発生させて仕切り用弱シール部１３を剥離させ、第１収納部９と第２収納部１１を開通させる。さらに、図３に示すように小容器１５の開口部は、延出部２３ａ、２３ｂから容器本体５のフィルム５ａ、５ｂに引かれ、弱シール部２１に剥離力が伝わって図３に示すように弱シール部２１が剥離開通し、内部の薬剤ｃが流出する。
【００４４】
このとき、接着部１９は弱シール部２１以外の位置とされているので、例えば熱による溶融接着の場合は熱によって弱シール部２１の易剥離性に影響が及ぶことがなく、図３に示すように確実に開封することが可能となる。また、接着部１９は小容器１５の外部とされているので、溶融接着時の熱によって内部の薬剤ｃが影響されることもなく、内部の薬剤ｃの品質を良好に維持することができる。
【００４５】
本実施形態の医療用複室容器１においては、仕切り用弱シール部１３の一方の端側から中央側にかけて小容器１５側に傾斜した形状を有する第１の中シール部Ｌ１が形成されている。また、仕切り用弱シール部１３のもう一方の端側から中央側にかけて小容器１５側に傾斜した形状を有する第２の中シール部Ｒ１が形成されている。また、第１の中シール部Ｌ１と第２の中シール部Ｒ１とは互いに交わらない。第１の中シール部Ｌ１及び第２の中シール部Ｒ１の形状は、仕切り用弱シール部１３の一方の端側から中央側にかけて小容器１５側に傾斜した形状を有し、互いに交わらなければ、その形状は特に制限されないが、例えば図１に示すように、第１の中シール部Ｌ１はｐ１、ｑ１、ｒ１を３辺とする、三角形の形状であってもよく、第２の中シール部Ｒ１も第１の中シール部Ｌ１と同様に三角形の形状であってもよい。図１の第１の中シール部Ｌ１においては、辺ｑ１が傾斜した形状における傾斜を示している。なお、傾斜した形状は、図１の辺ｑ１のような直線状だけに限定されるものではなく、例えば円弧状であってもよい。
このように、第１の中シール部Ｌ１及び第２の中シール部Ｒ１が形成されることによって、仕切り用弱シール部１３は、第２収納部１１側から小容器１５側へかけて台形状に狭まる形状となる。これにより、例えば第２収納部１１の一部に荷重すると、圧力及び剥離力Ｆ、Ｆが第２収納部１１側から仕切り用弱シール部１３及び小容器１５側へかけて伝わりやすくなり、小容器１５の接着部１９及び弱シール部２１が剥離しやすくなる。この結果、小容器１５内の薬剤ｃが各収納部９、１１の薬剤ａ、ｂと混合されやすくなる。なお、本実施形態において中シール部とは、弱シール部よりもシール強度が高いシール部を意味する。
【００４６】
本実施形態の医療用複室容器１において、第１の中シール部Ｌ１の形状と第２の中シール部Ｒ１の形状とは非対称であってもよいが、互いに対称であることが好ましい。第１の中シール部Ｌ１の形状と第２の中シール部Ｒ１の形状とが互いに対称であれば、仕切り用弱シール部１３及び小容器１５への圧力及び剥離力Ｆ、Ｆが、第１の中シール部Ｌ１における傾斜した形状及び第２の中シール部Ｒ１における傾斜した形状から均一に伝わりやすくなる。
【００４７】
また、本実施形態の医療用複室容器１において、第１の中シール部Ｌ１の中央側先端部Ｘ及び第２の中シール部Ｒ１の中央側先端部Ｙが、１０°以上９０°未満の角度を有してもよい。第１の中シール部Ｌ１の中央側先端部Ｘ及び第２の中シール部Ｒ１の中央側先端部Ｙの角度が１０°以上９０°未満の範囲であれば、仕切り用弱シール部１３及び小容器１５への圧力及び剥離力Ｆ、Ｆがより伝わりやすくなる。
【００４８】
第１の中シール部Ｌ１の中央側先端部Ｘ及び第２の中シール部Ｒ１の中央側先端部Ｙは、１０〜８０°の範囲がより好ましく、５０〜８０°の範囲がさらに好ましく、６０〜７０°の範囲が特に好ましい。
【００４９】
上記第１の中シール部Ｌ１の中央側先端部Ｘと、第２の中シール部Ｒ１の中央側先端部Ｙとの間隔は、小容器１５の横幅よりも短いほうが好ましく、小容器１５の横幅の２分の１よりも長いことが好ましい。これにより、小容器１５への圧力及び剥離力Ｆ、Ｆが伝わりやすくなる。
【００５０】
また、第１の中シール部Ｌ１の中央側先端部Ｘと、第２の中シール部Ｒ１の中央側先端部Ｙとの間隔の中心部分は、仕切り用弱シール部１３の横幅における中心部分とが、横幅に対する垂直線上で一致していることが好ましい。特に好ましくは、上記間隔の中心点が、仕切り用弱シール部１３の横幅の中心点と一致する形状である。
【００５１】
本実施形態の医療用複室容器１において、収納部（第２収納部１１）内の圧力を高める作業を行った際の最大点荷重が２５０Ｎ以上１８００Ｎ以下であることが好ましい。最大点荷重の範囲が上記範囲にあれば、医療従事者は適切な力で医療用複室容器１の仕切り用弱シール部１３及び小容器１５を十分に開通することが可能となる。最大点荷重（最大点荷重値）は、医療用複室容器１の第２収納部１１に力を徐々に加えていく作業を行った際の、荷重値の最大値である。この値は、力を加えると一定時間は上昇し、仕切り用弱シール部１３又は小容器１５の接着部１９及び弱シール部２１が開通する直前がピークとなり、開通後は急激に下降する。最大点荷重値を２５０Ｎより低く設計した場合には、例えば輸送時に仕切り用弱シール部１３又は小容器１５の接着部１９及び弱シール部２１が意図せず開通してしまう恐れや医療従事者が意図せずに開通してしまう恐れがある。また、１８００Ｎより高くなるように設計した場合には、仕切り用弱シール部１３又は小容器１５の接着部１９及び弱シール部２１の開通のために必要な収納部内の圧力を高める作業が困難になる恐れがある。より好ましくは、最大点荷重が３００Ｎ以上１８００Ｎ以下であり、さらに好ましくは、最大点荷重が３５０Ｎ以上１６００Ｎ以下である。
【００５２】
また、仕切り用弱シール部１３の開通強度（Ｎ／１５ｍｍ）は、１５ｍｍ幅に切り取った仕切り用弱シール部１３を剥がすのに必要な力であり、第１の中シール部Ｌ１及び第２の中シール部Ｒ１の開通強度よりも低く、開通強度が２．５Ｎ／１５ｍｍ以上４．５Ｎ／１５ｍｍ以下であってもよい。開通強度が２．５Ｎ／１５ｍｍより低いと、例えば輸送時に仕切り用弱シール部１３が意図せず開通してしまうおそれがあり、また、４．５Ｎ／１５ｍｍより高いと、仕切り用弱シール部１３又は小容器１５の接着部１９及び弱シール部２１の開通のために必要な収納部内の圧力を高める作業が困難になる恐れがある。
【００５３】
図４は、本実施形態の変形例である医療用複室容器の平面図である。図４に示すように、第１の中シール部Ｌ２及び第２の中シール部Ｒ２の中央側先端部は、図１のＸ、Ｙのように鋭角ではなく、第１の中シール部Ｌ２又は第２の中シール部Ｒ２が台形の形状であって、中央側先端部がＳ２のように辺であってもよい。ここで、図４のように中央側先端部が鋭角ではなく辺を為す場合には、例えば第１の中シール部Ｌ２においては、辺Ｓ２と辺ｑ２との角度から直角分の９０°を減じることによって、図１の態様と同様に、好ましい角度としてもよい。
【００５４】
図５は、本実施形態の変形例である医療用複室容器の平面図である。図５に示すように、第１の中シール部Ｌ３又は第２の中シール部Ｒ３の形状は、仕切り用弱シール部１３からはみ出していてもよく、容器本体５の周縁部３や第２収納部１１の一部に、第１の中シール部Ｌ３又は第２の中シール部Ｒ３の一部が重なっていてもよい。また、第１の中シール部Ｌ３又は第２の中シール部Ｒ３の形状は、図１の態様のように三角形でなく、例えば三角形又は台形と長方形とが組み合わされた形状であってもよい。第１の中シール部Ｌ３及び第２の中シール部Ｒ３が形成されることによって、仕切り用弱シール部１３において、第２収納部１１側から小容器１５側へかけて台形状に狭まる形状が少なくとも仕切り用弱シール部１３の一部に形成されていればよい。
【００５５】
図６、図７は、本実施形態の変形例である医療用複室容器の平面図である。図６、図７に示すように、第１の中シール部Ｌ４又は第２の中シール部Ｒ４（第１の中シール部Ｌ５又は第２の中シール部Ｒ５）の形状は、図１や図４、図５の態様と比較して、仕切り用弱シール部１３からより大きくはみ出していてもよく、容器本体５の周縁部３や第２収納部１１の一部に、第２収納部１１の内容量が大きく減少しない範囲で、第１の中シール部Ｌ４又は第２の中シール部Ｒ４（第１の中シール部Ｌ５又は第２の中シール部Ｒ５）の一部が重なっていてもよい。また、第１の中シール部Ｌ４又は第２の中シール部Ｒ４（第１の中シール部Ｌ５又は第２の中シール部Ｒ５）の形状は、図５の態様の同様に、三角形でなくてもよく、例えば三角形又は台形と長方形とが組み合わされた形状であってもよい。
【００５６】
本実施形態の医療用複室容器１は、公知の医療用複室容器と同じように製造することができ、第１の中シール部Ｌ又は第２の中シール部Ｒについては、例えば仕切り用弱シール部１３を形成した後に、第１の中シール部Ｌ又は第２の中シール部Ｒを形成したい部分をより高温で熱接着させることによって形成することができる。また、仕切り用弱シール部１３を形成した後に、凹凸状の金型で第１の中シール部Ｌ又は第２の中シール部Ｒの形状のように凹凸をつけ、開通時に引っかかることによって開通を遅延させることも可能である。なお、上記凹凸の引っ掛かりは、例えば第１収納部９と第２収納部１１とを大きく振動等によって混合させることによって、完全に開通させることもできる。
【００５７】
また、本実施形態の医療用複室容器１においては、例えば第２収納部１１の一部に荷重し、圧力及び剥離力Ｆ、Ｆを第２収納部１１側から仕切り用弱シール部１３及び小容器１５側へ伝え、第１収納部９と第２収納部１１、小容器１５を開通させ、さらに、第１収納部９の一部を荷重することによって、仕切り用弱シール部１３、第１の中シール部Ｌ及び第２の中シール部Ｒを完全に剥離することもできる。これにより、開通後の第２収納部１１内の内容量を従来に比べて少なくならないように調整することも可能となる。
【００５８】
なお、上記実施形態においては、一例として医療用複室容器の実施形態を記載しているが、本実施形態は医療用に限定されるものではなく、例えば食品用の複室容器であってもよい。食品用複室容器である場合には例えば内容物は流動状の食品であり、排出口は食品が容器外に排出されるための食品排出口となる。
【実施例】
【００５９】
以下、本発明の実施例を説明する。なお、本発明は以下の実施例に限定されるものではない。
【００６０】
本実施例においては、医療用複室容器の仕切り用弱シール部に第１及び第２の中シール部を設け、収納部内の圧力を高める作業を行った際の最大点荷重値を測定した。
【００６１】
実施例１〜３の医療用複室容器の最大点荷重値は、手型押し板（１７０ｍｍ×１００ｍｍ）を用いてテンシロン（製品名、エー・アンド・デイ社製）で測定した。
【００６２】
（実施例１）
医療用複室容器として、エルネオパ２号（製品名、株式会社大塚製薬工場製、容量１５００ｍｌ）を用いた。また、第１及び第２の中シール部の形状は図５および表１に示す形状と同様の形状とした。仕切り用弱シール部１３の開通強度は３．５Ｎ／１５ｍｍであり、第１の中シール部Ｌ３、第２の中シール部Ｒ３の開通強度は、仕切り用弱シール部１３の開通強度よりも大きくなるように、仕切り用弱シール部１３を形成した後に、第１の中シール部Ｌ３、第２の中シール部Ｒ３の形状で再度シール作業を行って作成した。この容器の第２収納部１１に力を加え開通作業を行った際の最大点加重を表１に示す。
【００６３】
（実施例２）
医療用複室容器として、エルネオパ２号（製品名、株式会社大塚製薬工場製、容量１５００ｍｌ）を用いた。また、第１及び第２の中シール部の形状は図６および表１に示す形状と同様の形状とした。仕切り用弱シール部１３の開通強度は３．５Ｎ／１５ｍｍであり、第１の中シール部Ｌ４、第２の中シール部Ｒ４の開通強度は、仕切り用弱シール部１３の開通強度よりも大きくなるように、仕切り用弱シール部１３を形成した後に、第１の中シール部Ｌ４、第２の中シール部Ｒ４の形状で再度シール作業を行って作成した。この容器の第２収納部１１に力を加え開通作業を行った際の、最大点加重を表１に示す。
【００６４】
（実施例３）
医療用複室容器として、エルネオパ２号（製品名、株式会社大塚製薬工場製、容量１５００ｍｌ）を用いた。また、第１及び第２の中シール部の形状は図７および表１に示す形状と同様の形状とした。仕切り用弱シール部１３の開通強度は３．５Ｎ／１５ｍｍであり、第１の中シール部Ｌ５、第２の中シール部Ｒ５の開通強度は、仕切り用弱シール部１３の開通強度よりも大きくなるように、仕切り用弱シール部１３を形成した後に、第１の中シール部Ｌ５、第２の中シール部Ｒ５の形状で再度シール作業を行って作成した。この容器の第２収納部１１に力を加え開通作業を行った際の、最大点加重を表１に示す。
【００６５】
実施例１〜３の中シール部の角度および間隔、また、開通した際の最大点荷重の測定結果を以下の表１に示す。
【００６６】
【表１】
2020108824.tif 000003
【符号の説明】
【００６７】
１…医療用複室容器、３…周縁部、５…容器本体、７…排出口、９…第１収納部、１１…第２収納部、１５…小容器、１９…接着部、２１…弱シール部、Ｌ、Ｌ１〜Ｌ５…第１の中シール部、Ｒ、Ｒ１〜Ｒ５…第２の中シール部、Ｘ…第１の中シール部の中央側先端部、Ｙ…第２の中シール部の中央側先端部、ｑ１…辺（傾斜した形状）。
【図１】
2020108824.tif 000004
【図２】
2020108824.tif 000005
【図３】
2020108824.tif 000006
【図４】
2020108824.tif 000007
【図５】
2020108824.tif 000008
【図６】
2020108824.tif 000009
【図７】
2020108824.tif 000010
【図８】
2020108824.tif 000011
【図９】
2020108824.tif 000012
【図１０】
2020108824.tif 000013